(57)【特許請求の範囲】
【請求項１】
第１の無線通信装置（８７０）及び第２の無線通信装置（８８０）を一緒に動作させるシステムであって、前記第１の無線通信装置（８７０）及び前記第２の無線通信装置（８８０）が１つの共通受信機を共有する前記システムにおいて、
前記第１の無線通信装置（８７０）、又は前記第２の無線通信装置（８８０）の動作に優先順位を付ける手段（３１０、３２０、３３０、３４０、３５０、３６０）と、
前記第１の無線通信装置のページング・チャネル送信（１１０）及び前記第２の無線通信装置のページング・チャネル送信（１４０）の発生を予測する手段（４１０、５１０、５５０、６１０、６４０、７１０）と、
前記第１の無線通信装置のページング・チャネル送信（１１０）と前記第２の無線通信装置のページング・チャネル送信（１４０）との間に重複が存在しないときは、前記第１の無線通信装置のページング・チャネル送信（１１０）の前記予測した発生中に、前記第１の無線通信装置のページング・チャネル送信（１１０）に対して、及び前記第２の無線通信装置のページング・チャネル送信（１４０）の前記予測した発生中に、前記第２の無線通信装置のページング・チャネル送信（１４０）に対して前記共通受信機（８５０）を同調させる手段（４３０、５３０、６５０）と、
前記第１の無線通信装置（８７０）の動作が優先順位付けられ、かつ前記第１の無線通信装置のページング・チャネル送信（１１０）と前記第２の無線通信装置のページング・チャネル送信（１４０）との間に重複が存在するときは、前記第１の無線通信装置のページング・チャネル送信（１１０）の前記予測した発生中に、前記第１の無線通信装置のページング・チャネル送信（１１０）に対して前記共通受信機（８５０）を同調させる手段（４３０、５３０、６５０）と、
前記第２の無線通信装置（８８０）の動作が優先順位付けられ、かつ前記第１の無線通信装置のページング・チャネル送信（１１０）と前記第２の無線通信装置のページング・チャネル送信（１４０）との間に重複が存在するときは、前記第２の無線通信装置のページング・チャネル送信（１４０）の前記予測した発生中に、前記第２の無線通信装置のページング・チャネル送信（１４０）に対して前記共通受信機（８５０）を同調させる手段（５３０、６２０、７３０）と
を備えたシステム。
【請求項２】
セルラ電話システムにおけるセルラ電話（８７０）及びページャ・システムにおけるページャ（８８０）を一緒に動作させるシステムであって、前記セルラ電話（８７０）及び前記ページャ（８８０）が１つの共通受信機（８５０）を共有する前記システムにおいて、
前記セルラ電話（８７０）、又は前記ページャ（８８０）の動作に優先順位を付ける手段（３１０、３２０、３３０、３４０、３５０、３６０）と、
前記セルラ・システムのページング・チャネル送信（１１０）及び前記ページャ・システムのページング・チャネル送信（１４０）の発生を予測する手段（４１０、５１０、５５０、６１０、６４０、７１０）と、
前記セルラ・システムのページング・チャネル送信（１１０）と前記ページャ・システムのページング・チャネル送信（１４０）との間に重複が存在しないときは、前記セルラ・システムのページング・チャネル送信（１１０）の前記予測した発生中に、前記セルラ・システムのページング・チャネル送信（１４０）に対して、及び前記ページャ・システムのページング・チャネル送信（１４０）の前記予測した発生中に、前記ページャ・システムのページング・チャネル送信（１４０）に対して前記共通受信機（８５０）を同調させる手段（４３０、５３０、６５０）と、
前記セルラ電話の動作が優先順位付けられ、かつ前記セルラ・システムのページング・チャネル送信（１１０）と前記ページャ・システムのページング・チャネル送信（１４０）との間に重複が存在するときは、前記セルラ・システムのページング・チャネル送信（１１０）の前記予測した発生中に、前記セルラ・システムのページング・チャネル送信（１１０）に対して前記共通受信機（８５０）を同調させる手段（４３０、５３０、６５０）と、
前記ページャの動作が優先順位付けられ、かつ前記セルラ・システムのページング・チャネル送信（１１０）と前記ページャ・システムのページング・チャネル送信（１４０）との間に重複が存在するときは、前記ページング・システムのページング・チャネル送信（１４０）の前記予測した発生中に、前記ページング・システムのページング・チャネル送信（１４０）に対して前記共通受信機（８５０）を同調させる手段（５６０、６２０、７３０）と
を備えたシステム。
【請求項３】
セルラ電話及びページャ装置（８１０）の組み合わせ装置であって、前記セルラ電話（８７０）及び前記ページャ（８８０）が１つの共通受信機（８５０）を共有する前記組み合わせ装置において、
ユーザ選択された動作モードを入力してセルラ・システムのページング・チャネル送信（１１０）又はページャ・システムのページング・チャネル送信（１４０）を監視する手段（３００、３１０）と、
セルラ・システムのページング・チャネル送信（１１０）及びページャ・システムのページング・チャネル送信（１４０）の発生を予測する手段（４１０、５１０、６４０、５５０、６１０、７１０）と、
前記選択された動作モードに従って前記セルラ・システム又は前記ページャ・システムのページング・チャネルに対して前記共通受信機（８５０）を選択的に同調させる手段（４３０、５３０、５６０、６２０、６５０、７３０）と
を備えている組み合わせ装置（８１０）。
【請求項４】
前記複数の動作モードは、セルラ電話動作専用モード（４３０）、ページャ動作専用モード（３６０）、セルラ電話動作優先モード（３４０）又はページャ動作優先モード（３５０）を備えている請求項３記載のセルラ電話及びページャ装置の組み合わせ装置（８１０）。
【請求項５】
前記共通受信機（８５０）を選択的に同調させる前記手段は、前記選択した動作モードが前記セルラ電話動作専用モード（３３０）であるときは、セルラ電話（８７０）として前記組み合わせ装置（８１０）の動作のために前記セルラ・システムのページング・チャネルに対して同調させる（４３０）請求項４記載のセルラ電話及びページャ装置の組み合わせ装置（８１０）。
【請求項６】
前記共通受信機（８５０）を選択的に同調させる前記手段は、前記選択した動作モードが前記ページャ動作専用モード（３６０）であるときは、ページャ（８８０）として前記組み合わせ装置（８１０）の動作のために前記ページャ・システムのページング・チャネルに対して同調させる（７３０）請求項４記載のセルラ電話及びページャ装置の組み合わせ装置（８１０）。
【請求項７】
前記共通受信機（８５０）を選択的に同調させる前記手段は、前記選択した動作モードが前記セルラ電話動作優先モード（３４０）であり、かつ前記セルラ・システムのページング・チャネル送信（１１０）と前記ページャ・システムのページング・チャネル送信（１４０）との間に重複が存在するときは、前記セルラ・システムのページング・チャネル送信（１１０）の前記予測した発生中に、前記セルラ・システムのページング・チャネルに対して同調させる（５３０）請求項４記載のセルラ電話及びページャ装置の組み合わせ装置（８１０）。
【請求項８】
前記共通受信機（８５０）を選択的に同調させる前記手段は、前記選択した動作モードが前記ページャ動作優先モード（３５０）であり、かつ前記セルラ・システムのページング・チャネル送信（１１０）と前記ページャ・システムのページング・チャネル送信（１４０）との間に重複が存在するときは、前記ページャ・システムのページング・チャネル送信（１４０）の前記予測した発生中に、前記ページャ・システムのページング・チャネル送信に対して同調させる（６２０）請求項４記載のセルラ電話及びページャ装置の組み合わせ装置（８１０）。
【請求項９】
前記共通受信機（８５０）を選択的に同調させる前記手段は、前記選択した動作モードが前記セルラ電話動作優先モード（３４０）か、又は前記ページャ動作優先モード（３５０）であり、かつ前記セルラ・システムのページング・チャネル送信（１１０）と前記ページャ・システムのページング・チャネル送信（１４０）との間に重複が存在しないときは、前記セルラ・システムのページング・チャネル送信（１１０）の予測した発生中に、前記セルラ・システム・ページング・チャネルに対して前記共通受信機（８５０）に同調させ（５３０、６５０）、かつ前記ページャ・システムのページング・チャネル送信（１４０）の前記予測した発生中に、前記ページャ・システムのページング・チャネルに対して同調させる（５６０、６２０）請求項４記載のセルラ電話及びページャ装置の組み合わせ装置（８１０）。
【請求項１０】
セルラ電話システムにおけるセルラ電話（８７０）及びページャ・システムにおけるページャ（８８０）を一緒に動作させる方法であって、前記セルラ電話（８７０）及び前記ページャ（８８０）は１つの共通受信機（８５０）を共有する方法において、
前記セルラ電話（８７０）か、又は前記ページャ（８８０）の動作を優先順位付けるステップ（３１０、３２０、３３０、３４０、３５０、３６０）と、
前記セルラ・システムのページング・チャネル送信（１１０）及び前記ページャ・システムのページング・チャネル送信（１４０）の発生を予測するステップ（４１０、５１０、５５０、６１０、６４０、７１０）と、
前記セルラ・システムのページング・チャネル送信（１１０）と前記ページャ・システムのページング・チャネル送信（１４０）との間に重複が存在しないときは、前記セルラ・システムのページング・チャネル送信（１１０）の前記予測した発生中に、前記セルラ・システムのページング・チャネル送信（１１０）に対して、及び前記ページャ・システムのページング・チャネル送信（１４０）の前記予測した発生中に、前記ページャ・システムのページング・チャネル（１４０）に対して前記共通受信機（８５０）を同調させるステップ（４３０、５３０、６５０）と、
前記セルラ電話（８７０）動作が優先順位付けされ、かつ前記セルラ・システムのページング・チャネル送信（１１０）と前記ページャ・システムのページング・チャネル送信（１４０）との間に重複が存在するときは、前記セルラ・システムのページング・チャネル送信（１１０）の前記予測した発生中に、前記セルラ・システムのページング・チャネル送信（１１０）に対して前記共通受信機（８５０）を同調させるステップ（４３０、５３０、６５０）と、
前記ページャ（８８０）動作が優先順位付けされ、かつ前記セルラ・システムのページング・チャネル送信（１１０）と前記ページャ・システムのページング・チャネル送信（１４０）との間に重複が存在するときは、前記ページング・システムのページング・チャネル送信（１４０）の前記予測した発生中に、前記ページング・システムのページング・チャネル送信に対して前記共通受信機（８５０）を同調させるステップと
を備えた方法。
【請求項１１】
１つの共通受信機（８５０）を共有する組み合わせセルラ電話及びページャ装置における、セルラ・システムのページング・チャネル送信（１１０）及びページャ・システムのページング・チャネル送信（１４０）に選択的に同調させる方法において、
セルラ・システムのページング・チャネル送信（１１０）又はページャ・システムのページング・チャネル送信（１４０）を監視するためにユーザ入力を質問して動作モードを選択するステップ（３００）と、
セルラ・システムのページング・チャネル送信（１１０）、及びページャ・システムのページング・チャネル送信（１４０）の発生を予測するステップ（４１０、５１０、６４０、５５０、６１０、７１０）と、
前記選択した動作モードに従って前記セルラ・システム又は前記ページャ・システムのページング・チャネルに対して前記共通受信機（８５０）を選択的に同調させるステップ（４３０、５３０、５６０、６２０、６５０、７３０）と
を備えた方法。
【請求項１２】
前記複数の動作モードは、セルラ電話動作専用モード（３３０）、ページャ動作専用モード（３６０）、セルラ電話動作優先モード（３４０）又はページャ動作優先モード（３５０）を備えている請求項１１記載のセルラ・システムのページング・チャネル送信（１１０）及びページャ・システムのページング・チャネル送信（１４０）に選択的に同調させる方法。
【請求項１３】
前記共通受信機を（８５０）選択的に同調させるステップ（４３０）は、前記選択した動作モードが前記セルラ電話動作専用モード（３３０）のときは、セルラ電話（８７０）として前記組み合わせた装置（８１０）の動作のために前記セルラ・システムのページング・チャネルに同調させることを含む請求項１２記載のセルラ・システムのページング・チャネル送信（１１０）及びページャ・システムのページング・チャネル送信（１４０）に選択的に同調させる方法。
【請求項１４】
前記共通受信機（８５０）を選択的に同調させるステップ（７３０）は、前記選択した動作モードが前記ページャ動作専用モード（３６０）であるときは、ページャ（８８０）として前記組み合わせた装置（８１０）の動作のために前記ページャ・システムのページング・チャネルに同調させることを含む請求項１２記載のセルラ・システムのページング・チャネル送信（１１０）及びページャ・システムのページング・チャネル送信（１４０）に選択的に同調させる方法。
【請求項１５】
前記共通受信機（８５０）を選択的に同調させるステップ（５３０）は、前記選択した動作モードが前記セルラ電話動作優先モード（３４０）であり、かつ前記セルラ・システムのページング・チャネル送信（１１０）と前記ページャ・システムのページング・チャネル送信（１４０）との間に重複が存在するときは、前記セルラ・システムのページング・チャネル送信（１１０）の前記予測した発生中に、前記セルラ・システムのページング・チャネルに対して同調させることを含む請求項１２記載のセルラ・システムのページング・チャネル送信（１１０）及びページャ・システムのページング・チャネル送信（１４０）に選択的に同調させる方法。
【請求項１６】
前記共通受信機を選択的に同調させるステップは、前記選択した動作モードが前記ページャ動作優先モード（３５０）であり、かつ前記セルラ・システムのページング・チャネル送信（１１０）と前記ページャ・システムのページング・チャネル送信（１４０）との間に重複が存在するときは、前記ページャ・システムのページング・チャネル送信（１４０）の前記予測した発生中に、前記ページャ・システムのページング・チャネルに対して同調させること（６２０）を含む請求項１２記載のセルラ・システムのページング・チャネル送信（１１０）及びページャ・システムのページング・チャネル送信（１４０）に選択的に同調させる方法。
【請求項１７】
前記共通受信機（８５０）を選択的に同調させるステップは、前記選択した動作モードが前記セルラ電話動作優先モード（３４０）か、又はページャ動作優先モード（３５０）であり、かつ前記セルラ・システムのページング・チャネル送信（１１０）と前記ページャ・システムのページング・チャネル送信（１４０）との間に重複が存在しないときは、前記前記セルラ・システムのページング・チャネル送信（１４０）の前記予測した発生中に、前記セルラ・ページング・チャネルに対して前記共通受信機（８５０）に同調させること（５３０、６５０）、及び前記ページャ・システムのページング・チャネル送信の前記予測した発生中に、前記ページャ・システムのページング・チャネルに対して同調させること（５６０、６２０）を含む請求項１２記載のセルラ・システムのページング・チャネル送信（１１０）及びページャ・システムのページング・チャネル送信（１４０）に選択的に同調させる方法。
【発明の詳細な説明】
発明の背景
発明の技術分野
本発明は、セルラ電話及びページャに関し、より詳しくは、セルラ電話及びページャ機能を有し、かつ共通受信機を共有する装置により受信される無線信号を選択する方法に関する。
関連技術の説明
セルラ電話サービス及びページャ・サービスの両方についてのコスト低減及び広範な受け入れは、消費者がセルラ電話サービス及びページャ・サービスの両方に加入するのを望む結果となった。従来、消費者は個別的なセルラ電話及びページング装置を購入して携帯する必要があった。このマーケット区分に適合するために、セルラ電話及びページャの製造者は、２つの装置を１ユニットに集合した。このような集合ユニットは、個別的な２つの装置よりも携帯するのに便利である。集合装置は、多分、ハウジング、バッテリ、トーン発生器（ベル／ブザー）、セルラ電話とページャとの間の英数字ディスプレイのようないくつかの構成要素を共有する一方、集合ユニットは、本質的に独立かつ同時動作が可能な別個の２装置である。
ページャとセルラ電話との間における構成要素の共通性のために、装置間である程度更なる構成要素を共有させ、これによって構成要素の重複を少なくし、コストに低減し、かつ小型化を促進することができる。特に、無線受信機を共有することにより顕著な節約を実現することができる。セルラ電話及びページャ用の無線周波数は異なっているけれども、産業界において、異なる周波数帯域で動作可能な受信機を設計することは、周知である。しかしながら、複数の構成要素を共有することの欠点は、与えられた任意の時点で１装置のみがこれらの構成要素を利用でき、両装置の同時的な動作は不可能であるということである。
産業界において、セルラ電話及びページャは大部分の時間がスリープ・モードで動作していることは周知である。スリープ・モードにおいて、装置は、それがセルラ電話であろうと、又はページャであろうとも、弱くなったバッテリ・パワーを節約するように努めている受信機を除き、全ての構成要素をパワー・ダウンさせる。更に、複数の受信機は、それ自身がパワー・ダウンをし、着信トラフィックの通知についてページング・チャネルを監視している割り当て期間中にのみ活性化、即ち「覚醒（ａｗａｋｅｎ）」している。ページング期間のタイミング及び周波数は、周知であって、通信システム（例えば、ＣＳＭ，ＡＭＰＳ，ＰＯＣＳＡＧ等）の特定的なプロトコル及び移動装置のアイデンティティ（識別）により指定される。
１受信機を共有するセルラ電話／ページャ装置の現在の集合状態は、与えられた任意の時点でセルラ電話又はページャとしてのみ動作することができるので、重複していない状態において、受信機が、セルラ電話のページング期間中にセルラ電話のページング・チャネルを監視し、またページャ・ページング期間中にページャのページング・チャネルを監視し、これによって受信機を共有することにより、同時的なセルラ電話サービス及びページャ・サービスが得られるように、受信機を共有する方法を提供する利点がある。更に、セルラ電話期間及びページャ・ページング期間が重なり合う期間中に提供される形式のサービスに優先順位付けする方法に対する要求もある。
発明の概要
本発明は、セルラ電話及びページャが１ユニットに集合され、かつ１共通受信機を共有する装置に適用される。本発明は、受信機をその最大限度まで利用して、セルラ電話及びページャの最大範囲の同時的な動作を可能にするべく、スリープ・モード中は、受信機により監視される無線信号の選択をするシステムを備える。
セルラ電話及びページャ・システム・プロトコルの両方は、非トラフィック期間中は移動装置の各受信機をパワー・ダウンし、また割り付けられたページング期間中は活性化するようにさせる。ページング期間中は、受信機は、特定の通信システムの基地局が移動装置に対する着信トラフィックを有するか否かを判断するためにページング・チャネルを監視しなければならない。前記割り付けられたページング期間は、前記通信システムのプロトコル及び前記移動装置のアイデンティティにより検出される。割り付けられると、既知の周波数でページング期間が発生する。
本発明の方法によれば、集合装置のセルラ電話又はページャは、他に対して優先権が与えらる。受信機は、セルラ電話用のページング・チャネルとページャ用のページング・チャネルとが重複しない期間中は、セルラ電話のページング・チャネルに、またそれぞれの期間中はページャのページング・チャネルを受信するように同調される。集合装置は、ページング・チャネルの重複が発生せず、かつ着信トラフィックが存在しない限り、共にセルラ電話及びページャとして動作する。重複が発生すると、優先順位が割り付けられた装置のページング・チャネルを監視して、集合装置は優先順位付けされた装置としてのみ動作する。加えて、前記集合装置は、ページャ又はセルラ電話用の着信トラフィックを検出すれば、そのトラフィックの受信中は単に当該装置として動作する。
【図面の簡単な説明】
本発明をより完全に理解するために、添付図面と関連させて以下の詳細な説明を参照する。
図１はセルラ電話及びページャのページング・チャネル及びそれぞれの受信機用の活性化信号のタイミング図である。
図２は本発明により利用可能な種々の動作モードに関する活性化及び周波数選択を説明するタイミング図である。
図３は動作モードを選択するときの集合装置の動作を説明する流れ図である。
図４はセルラ電話専用モードにおける集合装置の動作を説明する流れ図である。
図５はセルラ電話動作優先モードにおける集合装置の動作を説明する流れ図である。
図６はページャ動作優先モードにおける集合装置の動作を説明する流れ図である。
図７はページャ動作専用モードにおける集合装置の動作を説明する流れ図である。
図８は１共通受信機を共有するセルラ電話及びページャを備えた集合装置を説明する簡単なブロック図である。
発明の詳細な説明
過去、ページャ及びセルラ電話は、独立して動作する個別的な複数装置であった。これらの装置を１つの集合装置に組み合わせる要望がますます高まっている。コストを低減し、かつ小型化を進めるためには、冗長な構成要素をなくすと共に、無線受信機を含む共通構成要素を共有することが有利となる。このような共有受信機は、セルラ電話の周波数帯域及びページャ周波数帯域の両方から無線周波数を受信できる必要がある。セルラ電話として動作中は、集合装置は受信機をセルラ電話の周波数帯域に同調させることになる。同様に、ページャとして動作中は、集合装置は受信機をページャの周波数帯域に同調させることになる。しかしながら、明らかな欠点は、集合装置が与えられた時間にセルラ電話か又はページャの周波数帯域に同調する必要があり、かつ両周波数帯域を同時に受信することができないことである。
本発明は、セルラ電話及びページャの両者が時間の大部分をスリープ・モードに費やしていると云うことを利用してる。スリープ・モードにおいて、これらの装置は、既知の周波数で再発生する所定の期間中にページング・チャネルを監視するために受信機を活性化する。この信号の目的は、特定のユニットに向けられた着信トラフィックが存在するときにこれをその装置に知らせることである。セルラ電話又はページャは、それぞれのページング・チャネルを監視している間に、それらの装置用の着信トラフィックが出現している可能性があると判断すると、これらはそれぞれの装置に電力を供給し、着信トラフィックを受信しなければならない。ページング・チャネルのタイミングは、特定の通信システムのプロトコル及び特定装置の識別番号により判断される。ページング・チャネルの使用及びスリープ・モードの動作は、産業界において周知である。
ここで図１を参照すると、セルラ電話及びページャのページング・チャネル、及びそれぞれの受信機に対する活性化信号に関するタイミング図が示されている。セルラ電話のスリープ・パターン及びページャのスリープ・パターンは、通常、異なる期間、位相及びデュティー・サイクルを有する。従って、ページング・チャネルを監視するために、セルラ電話及びページャの両者が同一時間に活性化する必要があり、かつ共有資源に対する同時的なアクセスを必要とし、偶発的な衝突が必然的に発生する。一般的な４つのシナリオが発生可能であり、図１に示されている。セルラ電話送信は、セルラ電話がセルラ電話のページング・チャネルを監視して、セルラ電話回線網がセルラ電話との接続を望んでいるか否かを判断するために必要とするときのタイミング間隔１１０ａ〜１１０ｄを含む。これらの期間中に、セルラ電話の受信機は、活性となり、タイミング信号１２０ａ〜１２０ｄにより表されている期間の長で活性のままである。同様に、ページャ送信は、ページング・システムがページャとの接続を必要としているか否かを判断するためにページャがページャのページング・チャネルを監視することを必要とするタイミング間隔１４０ａ〜１４０ｄを含む。これらの期間中に、ページャ受信機は活性となり、タイミング信号１５０ａ〜１５０ｄにより表されている期間の長で活性のままである。
列１６０における信号グループは、セルラ電話のページング・チャネル送信１１０ａとページャのページング・チャネル送信１４０ａとのタイミング間に重なり合いが存在しないシナリオを表している。従って、衝突は存在しない。列１７０における信号グループは、セルラ電話のページング・チャネル１１０ｂ及びページャのページング・チャネル１４０ｂの同時送信のために、衝突が存在するシナリオを表している。列１８０における信号グループは、セルラ・ページング・チャネル送信が開始したが、ページャのページング・チャネル送信の開始する前に、完了しないときに、セルラ電話のページング・チャネル１１０ｃ及びページャのページング・チャネル１４０ｃの重複のために、衝突が存在するシナリオを表している。逆に、列１９０における信号グループは、セルラ・ページング・チャネル送信が開始したが、セルラ・ページング・チャネル送信の開始する前に、完了しないときに、セルラ電話のページング・チャネル１１０ｄ及びページャのページング・チャネル１４０ｄの重複のために、衝突が存在するシナリオを表している。
本発明は、大抵の場合に、２ページング・チャネルの重複が発生しないということを利用している。このシナリオにおいて、受信機は２つの周波数帯域間で反復的に切り換えることができるようにされて、ページャ及びセルラ電話の両者と同時動作が得られる。本発明は、セルラ電話とページャとの間の衝突が発生するときに、優先順位付けされた装置の周波数帯域が選択されるように、優先順位付け動作モードを選択するために提供する。
図２を参照すると、本発明により利用可能な種々の動作モードのための活性化及び周波数選択を説明するタイミング図がある。セルラ電話の周波数帯域に同調されている受信機に活性化によってのみセルラ電話としての集合装置の動作は、一連の受信機活性化信号２００により表されている。このモードでは、集合装置が列１６０に表されているように重複が存在しなくても、列１７０に表されているように完全に重複していても、又は列１８０及び１９０に表されているように部分的に重複していても、セルラ電話としてのみ動作する。
ページャの周波数帯域に同調された受信機の活性化によってページャのみとしての集合装置の動作は、一連の受信機活性化信号２１０により表されている。このモードでは、集合装置が列１６０に表されているように重複が存在しなくても、列１７０に表されているように完全に重複していても、又は列１８０及び１９０に表されているように部分的に重複していても、ページャとしてのみ動作する。
第３の動作モードは、一連の受信機活性化信号２２０により表されているように、セルラ電話のページング・チャネルとページャのページング・チャネルのタイミング間に衝突が発生するときに、セルラ電話としての動作に優先権を与える。このモードにおいて、集合装置は、列１６０により表されているように、重複が発生していないときには、セルラ電話のページング・チャネル及びページャのページング・チャネルの両方を監視する。列１７０により表されているように、同時的な重複が発生するときは、集合装置は、セルラ電話の周波数帯域に受信機を同調させる。列１８０及び１９０により表されているように、セルラ電話のページング・チャネル及びページャのページング・チャネルに部分的な重複が発生するときは、集合装置は、セルラ電話のページング・チャネル期間の先頭でセルラ電話の周波数帯域に受信機を同調させて、セルラ電話のページング・チャネル期間の全期間をそのように同調したままにする。これは、ともかく、ページャのページング・チャネル期間２２４の先端より前に、セルラ電話のページング・チャネル期間２２２の先端が発生するとき、又はページャのページング・チャネル期間２２８の先端より後に、セルラ電話のページング・チャネル期間２２６の先端が発生するときである。
本発明の一実施例において、集合装置は、部分的なページャ・ページング期間２３０及び２３２中に、ページャの周波数帯域に受信機を同調させる。本発明の他の実施例において、集合装置は、バッテリ・パワーを節約するために部分的なページャ・ページング期間中に、部分的な重複を予測をして、受信機を不活性状態に置く。
第４の動作モードは、一連の受信機活性化信号２４０により表されるように、セルラ電話のページング・チャネルとページャのページング・チャネルとのタイミング間で衝突が発生するときは、ページャとしての動作に優先権を与える。このモードにおいて、集合装置は、列１６０により表されているように、重複が発生していないときは、セルラ電話のページング・チャネル及びページャのページング・チャネルの両方を監視する。列１７０により表されているように、同時的な重複が発生するときは、集合装置は、ページャの周波数帯域に受信機を同調させる。列１８０及び１９０により表されているように、セルラ電話のページング・チャネル及びページャのページング・チャネルに部分的な重複が発生するときは、集合装置は、セルラ電話のページング・チャネル期間の先頭でページャ周波数帯域に受信機を同調させて、ページャのページング・チャネル期間の全期間をそのように同調したままにする。これは、ともかく、ページャのページング・チャネル期間２４４の先端より前にページャのページング・チャネル期間２４２の先端が発生するとき、又はページャのページング・チャネル期間２４８の先端より後にページャのページング・チャネル期間２４６の先端が発生するときである。
本発明の一実施例において、集合装置は、部分的なセルラ電話のページング期間２５０及び２５２中に、セルラ電話の周波数帯域に受信機を同調させる。本発明の他の実施例において、集合装置は、バッテリ・パワーを節約するために部分的なセルラ電話のページング期間中に、部分的な重複を予測をして、受信機を不活性状態に置く。
一緒に取り上げる図３から図７までは、本発明の動作に関する流れ図を示す。ここで図３を参照すると、動作モードを選択するときの集合装置の動作を説明する流れ図がある。電力投入により、集合装置は、動作モードを入力するようにユーザに質問をして（ステップ３００）、ユーザは４つの動作モードから選択をする（ステップ３１０）。次いで、集合装置は、その動作モードを判断して（ステップ３２０）、選択した動作モードに集合装置を置くと共に、その可能性は、セルラ電話専用（ステップ３３０）、セルラ電話動作優先（３４０）、ページャ動作優先（３５０）、又はページャ動作専用（ステップ３６０）である。
ここで図４を参照すると、セルラ電話動作専用モードの動作を説明する流れ図がある。図３に戻るＡを参照すると、ここで、集合装置は、現在、セルラ電話のページング・チャネル期間が発生する時間であるか否かを判断する（ステップ４１０）。この判断は、セルラ電話のページング・チャネル送信の発生間の期間を反復的にカウントするタイマを使用することにより、達成できるとされる。この期間は、通信システム・プロトコルにより指定され、かつ特定の通信システムの同期方法を使用して基地局と同期される。セルラ電話のページング・チャネルが現在活性でないと判断されるときは、集合装置は、スリープ・モード動作により許容された受信機及び他の回路をパワー・ダウンし（ステップ４２０）、次の期間までスリープ・モードにとどまる。
他方、現在、セルラ電話のページング・チャネルを監視する時間であると判断されるときは、集合装置はセルラ電話の周波数帯域を選択し（ステップ４３０）、かつ受信機はセルラ電話のページング・チャネルを監視する（ステップ４４０）。集合装置は、セルラ電話動作専用モードにより、適当な期間中にセルラ電話のページング・チャネルを反復的に監視し、決してページャ周波数帯域に受信機を同調させることはない。
ここで図５を参照すると、セルラ電話動作優先モードにおける集合装置の動作を説明する流れ図がある。図３に戻るＢを参照すると、ここで、集合装置は、現在、セルラのページング・チャネル期間が発生する時間であるか否かを判断する（ステップ５１０）。現在、セルラ・ページング・チャネルを監視する時間であると判断されるときは、集合装置はセルラ電話の周波数帯域を選択して（ステップ５３０）、かつ受信機はセルラのページング・チャネルを監視する（ステップ５４０）。他方、セルラ電話のページング・チャネルは、現在、活性ではないと判断されるときは、ここで集合装置は、ページャのページング・チャネル期間が発生する時間であるか否かを判断する（ステップ５５０）。セルラ電話のページング・チャネルのように、この判断は、ページャのページング・チャネル送信の発生間の期間を反復的にカウントするタイマを使用することにより、達成できるとされる。この時間は、通信システム・プロトコルにより指定され、かつ特定の通信システムの同期方法を使用して同期される。現在、ページャのページング・チャネルを監視する時間であると判断されるときは、集合装置は、ページャの周波数帯域を選択して（ステップ５６０）、かつ受信機はページャのページング・チャネルを監視する（ステップ５７０）。受信機はページャのページング・チャネル送信の期間長のみページャのページング・チャネルを監視して、ステップ５１０に戻る。他方、現在、ページャのページング・チャネルを監視する時間でないと判断されるときは、集合装置は受信機を不活性化して、この処理を再び開始する。
本発明の第１の実施例において、集合装置は、ステップ５５０においてページャのページング・チャネル送信の終了前に、セルラのページング・チャネル送信の発生を予期し、かつページャのページング・チャネル送信の時間であってもステップ５６０への遷移を許容せず、代わりにステップ５８０に遷移する。本発明の第２の実施例において、集合装置は、ページャのページング・チャネル送信の終了前に、セルラのページング・チャネル送信の発生を予期しても、ステップ５５０からステップ５６０に遷移するが、しかしセルラのページング・チャネル送信の丁度発生前にページャのページング・チャネル送信を監視するのを停止してステップ５１０に戻る。
ここで図６を参照すると、ページャ動作優先モードにおける集合装置の動作を説明する流れ図がある。図３のＣに戻って参照すると、集合装置は、ここで、ページャのページング・チャネル期間が発生する時間であるか否かを判断する（ステップ６１０）。現在、ページャのページング・チャネルを監視する時間であると判断されるときは、集合装置は、ページャの周波数帯域を選択して（ステップ６２０）、受信機はページャのページング・チャネルを監視する（ステップ６３０）。他方、ページャのページング・チャネルが現在活性でないと判断されるときは、集合装置は、現在、セルラ電話のページング・チャネル期間が発生する時間であるか否かを判断する（ステップ６４０）。現在、ページャのページング・チャネルを監視する時間であると判断されるときは、集合装置は、セルラ電話の周波数帯域を選択して（ステップ６５０）、受信機はセルラ電話のページング・チャネルを監視する（ステップ６６０）。受信機はセルラのページング・チャネル送信の期間長についてのみセルラ・ページング・チャネルを監視し、次いでステップ６１０に戻る。セルラ電話のページング・チャネルが現在活性でないときは、集合装置は、スリープ・モード動作により許容された受信機及び他の回路をパワー・ダウンして（ステップ６７０）、この処理を再び開始する。
本発明の第１の実施例において、集合装置は、ステップ６４０でセルラのページング・チャネル送信の終了前に、ページャのページング・チャネル送信の発生を予期し、ページャのページング・チャネル送信の時間であってもステップ６５０への遷移を許容せず、代わりにステップ６７０に遷移する。本発明の第２の実施例において、集合装置は、セルラのページング・チャネル送信の終了前に、ページャのページング・チャネル送信の発生を予期しても、ステップ６５０からステップ６５０に遷移するが、しかしページャのページング・チャネル送信の丁度発生前に、セルラのページング・チャネル送信を監視するのを停止してステップ６１０に戻る。
図７を参照すると、ページャ動作専用モードにおける被集合装置の動作を説明する流れ図がある。図３に戻るＤを参照すると、ここで、集合装置は、現在、ページャのページング・チャネル期間が発生する時間であるか否かを判断する（ステップ７１０）。ページャのページング・チャネルが現在活性でないと判断されるときは、集合装置は、受信機をパワー・ダウンして（ステップ７２０）、次の期間までスリープ・モードにとどまる。他方、現在、ページャのページング・チャネルを監視する時間であると判断されるときは、集合装置はページャ周波数帯域を選択し（ステップ７３０）、かつ受信機はページャのページング・チャネルを監視する（ステップ７４０）。集合装置は、ページャ動作専用モードにより、適当な期間中にページャのページング・チャネルを反復的に監視し、決してセルラ電話の周波数帯域に受信機を同調させることはない。
ここで図８を参照すると、単一の共通受信機を共有するセルラ電話及びページャを備えている集合装置の簡単なブロック図が示されている。集合装置８１０は以下の一般的な共有構成要素：キーパッド８２０、英数字ディスプレイ８３０、アンテナ８４０、受信機８５０及びコントローラ８６０を含む。集合装置８１０は、更に、セルラ電話の残りの機能を実現するセルラ電話回線８７０及びページャの残りの機能を実現するページャ回路８８０を含む。コントローラ８６０は、セルラ電話のページング・チャネル送信のタイミング・ステータス情報及びページャのページング・チャネル送信のタイミング・ステータス情報を保持している。更に、コントローラ８６０は、ユーザにより入力される集合装置８１０の動作モードを記憶する。コントローラは、英数字ディスプレイ８３０を使用してユーザに質問をし、キーパッド８２０を使用して動作モードを入力させることにより、動作モードを獲得する（図３を参照）。コントローラ８６０は、選択したこの動作モードと、セルラ電話のページング・チャネル送信及びページャのページング・チャネル送信のタイミング・ステータスとに基づいて、受信機８５０を選択同調させて活性にし、適当なページング・チャネル送信を受信させる（図４〜７）。このページング・チャネル送信は、選択処理のためにセルラ電話回路８５０及びページャ回路８８０に供給される。
従って、本発明の説明には、スリープ・モードにおける集合装置の動作のみが含まれた。セルラ電話のページング・チャネルの監視中に、又はページャのページング・チャネルの監視中に、セルラ電話か又はページャがそれぞれの装置向けの着信トラフィックが存在すると判断するときは、集合装置は、着信トラフィックを受信するように共通受信機を同調させ、かつその期間中にのみ受信したトラフィック形式に従ってセルラ電話又はページャとして動作する。
本発明の説明は、セルラ電話又はページャにより共有されている共通受信機を説明しているが、本発明は、特に共通受信機を共有する任意数の無線装置にも等しく適用可能である。
【図１】
0003811506.tif 000002
【図２】
0003811506.tif 000003
【図３】
0003811506.tif 000004
【図４】
0003811506.tif 000005
【図５】
0003811506.tif 000006
【図６】
0003811506.tif 000007
【図７】
0003811506.tif 000008
【図８】
0003811506.tif 000009